(57)【特許請求の範囲】
【請求項１】
洗面器と、
前記洗面器の上方に設けられ、下端部が手前側になるように傾斜して固定される化粧鏡と、
前記化粧鏡の上方に配置される照明部と、を備え、
前記照明部は、その下面に設けられると共に下方に向けて光を照射する下方照射部を有し、
前記化粧鏡の下端部は、前記洗面器から突き出た吐水管の最も奥側の部位よりも手前側に位置する洗面化粧台。
【発明の詳細な説明】
【技術分野】
【０００１】
本発明は、洗面化粧台に関する。
【背景技術】
【０００２】
従来、洗面器と、洗面器の上方に設けられる化粧鏡と、化粧鏡の上方に配置される照明部と、を備える洗面化粧台が知られている（例えば、特許文献１参照）。
また、上下方向に昇降可能な化粧鏡を備える洗面化粧台が知られている（特許文献２参照）。
【先行技術文献】
【特許文献】
【０００３】
【特許文献１】特許第３９３２５５８号公報
【特許文献２】特許第３９３１８７０号公報
【発明の概要】
【発明が解決しようとする課題】
【０００４】
ところで、天井や梁（はり）が低い位置に設置してある場所（例えば、集合住宅やリフォーム用の洗面化粧台の設置場所）に、洗面化粧台を設置する場合がある。
しかしながら、天井や梁が低い位置に設置してある場所に、特許文献１に記載の従来の洗面化粧台を設置した場合に、身長が高い高身長者の顔が、化粧鏡の上端部よりも上側に位置して、化粧鏡に映らないことがある。そのため、化粧鏡に顔を映すために、前傾姿勢や膝を曲げた状態などで、化粧や髭剃りを行う必要があった。
また、天井の低い場所においては、特許文献２に記載の化粧鏡を、上下方向に移動させるための可動スペースを設けることが難しい。
【０００５】
本発明は、高身長者の顔が映りやすい洗面化粧台を提供することを目的とする。
【課題を解決するための手段】
【０００６】
本発明は、洗面器と、前記洗面器の上方に設けられ、下端部が手前側になるように傾斜する化粧鏡と、を備える洗面化粧台に関する。
【０００７】
また、前記化粧鏡の上方に配置される照明部を更に備えることが好ましい。
【０００８】
また、前記照明部は、その下面に設けられると共に下方に向けて光を照射する下方照射部を有することが好ましい。
【発明の効果】
【０００９】
本発明によれば、高身長者の顔が映りやすい洗面化粧台を提供することができる。
【図面の簡単な説明】
【００１０】
【図１】本発明の一実施形態に係る洗面化粧台１の全体構成を示す斜視図である。
【図２】本発明の一実施形態に係る洗面化粧台１を示す側面図である。
【発明を実施するための形態】
【００１１】
以下、本発明の洗面化粧台の好ましい一実施形態について、図面を参照しながら説明する。図１は、本発明の一実施形態に係る洗面化粧台１の全体構成を示す斜視図である。図２は、本発明の一実施形態に係る洗面化粧台１を示す側面図である。
【００１２】
図１に示すように、本実施形態の洗面化粧台１は、下部キャビネット２と、洗面器３と、ミラーキャビネット１１と、を備える。
【００１３】
下部キャビネット２は、図１に示すように、洗面化粧台１の下部を構成し、前面に開閉扉を有した箱状に形成される。下部キャビネット２の内部には、小物等を収納する収納空間が形成される。
【００１４】
洗面器３は、下部キャビネット２の上部に配置される。洗面器３は、凹状に形成されるボウル部３１と、ボウル前面カバー部３２と、洗面器３の奥側に配置される第１上面部３３と、幅方向の一端側に配置される第２上面部３４と、を有する。
【００１５】
ボウル部３１は、平面視において、略矩形形状と、略矩形形状の一端（洗面化粧台１に対面した場合の右端）から奥側に延びる形状と、が連続した形状に形成される。ボウル部３１は、平面視において、第１上面部３３と第２上面部３４と外枠とに挟まれる部分である。ボウル部３１は、後述する水栓部７から吐出された水を受ける。
【００１６】
水栓部７は、図１に示すように、吐水管７１と、操作部７２と、を有する。吐水管７１は、不図示の吐水管固定用穴を介して、洗面器３の第１上面部３３に取り付けられる。操作部７２は、不図示の操作部固定用穴を介して、洗面器３の第１上面部３３に取り付けられる。水栓部７においては、操作部７２を操作することにより、吐水管７１から水が吐出される。
【００１７】
ミラーキャビネット１１は、上下方向に延びる板状に形成される。ミラーキャビネット１１は、洗面器３の後端部から上方に延びる。ミラーキャビネット１１は、化粧鏡１２と、複数の収納トレイ１３と、照明部１４と、を有する。
【００１８】
化粧鏡１２は、図２に示すように、ミラーキャビネット１１の幅方向の略中央において、洗面器３の上方に取り付けられている。複数の収納トレイ１３は、化粧鏡１２の下方及び化粧鏡１２の両側に、配置されている。化粧鏡１２は、平面状に形成される。化粧鏡１２は、下端部が手前側になるように傾斜して配置される。
【００１９】
化粧鏡１２の傾斜の角度は、例えば、化粧鏡１２の上端部よりも５〜１５ｃｍ程度高い身長者の顔を映すことができる角度であることが好ましい。
化粧鏡１２の傾斜の角度αは、例えば、下部キャビネット２の奥行の寸法Ｌ３が４５０ｍｍ〜５５０ｍｍである場合に、１°〜５°であることが好ましく、５°であることが更に好ましい。
【００２０】
照明部１４は、化粧鏡１２の上方に配置される。照明部１４は、１灯配置される。照明部１４は、電球部１４ａと、電球部１４ａをカバーするカバー部材１４ｂと、を有する。カバー部材１４ｂは、電球部１４ａからの光を透過して、カバー部材１４ｂの前面を介して、前方を照明すると共に、カバー部材１４ｂの下面を介して、下方を照明する。そのため、照明部１４は、前方に向けて光を照射する前方照射部としての機能を有し、かつ、その下面に設けられると共に下方に向けて光を照射する下方照射部１４ｃとしての機能を有する。つまり、照明部１４は、下方照射部１４ｃにより下方に向けて光を照射することで、下方にも照明する。カバー部材１４ｂは、半透明の樹脂材料により形成される。
【００２１】
このように構成される洗面化粧台１において、洗面化粧台１を設置する場合に、設置する場所における天井１００の高さに制限がある場合がある。このような場合には、化粧鏡１２を設置可能な高さも制限される。例えば、図２に示すように、天井１００が低い位置に設置してある場所（例えば、集合住宅やリフォーム用の洗面化粧台の設置場所）に、洗面化粧台１を設置する場合等である。例えば、本実施形態においては、天井１００の高さＬ１は、１８００ｍｍである。
【００２２】
従来、天井１００が低い場所に洗面化粧台を設置する場合には、高身長者の顔が切れて化粧鏡に映らないことあった。また、化粧鏡を上方に延ばして、照明部を化粧鏡の上方に配置せずに化粧鏡の上部の両脇それぞれに配置して、合計２灯の照明部を使用することも行われていた。しかし、合計２灯の照明部を使用する場合には、１灯の照明部を使用するよりも、エネルギーの消費量が多くなる。
【００２３】
そこで、本発明においては、化粧鏡１２を、下端部が手前側になるように傾斜させて配置する。これにより、化粧鏡１２の上端部よりも高い身長者の顔を化粧鏡１２に映すことができる。また、人が化粧鏡１２に近づく際には前傾姿勢になりやすいため、化粧鏡１２に近づいて行う作業（メイクや髭剃り）がしやすくなる。
【００２４】
更に、化粧鏡１２の上方に、照明部１４を１灯配置した。これにより、照明部１４が化粧鏡１２の上方に配置されるため、下方に配置される化粧鏡１２に対して照明することができる。よって、効率よく照度を確保することができる。また、照明部を２灯設ける場合と比べて、省エネルギーに寄与する。
また、上述のように、本実施形態では、化粧鏡１２の上端部よりも高い身長者の顔を化粧鏡１２に映すことができる。よって、化粧鏡１２の上方に照明部１４を配置して洗面化粧台１を構成した場合であっても、洗面化粧台１の高さを高くすることなく高身長者の顔を好適に映すことができる。
【００２５】
また、照明部１４は、カバー部材１４ｂの下面を介して照明する。カバー部材１４ｂは、半透明の樹脂材料により形成されるため、電球部１４ａからの光を弱めて、化粧鏡１２への照明部１４の映り込みを低減できる。
また、照明部１４が下方照射部１４ｃにより下方にも照明するため、照明部１４からの光を傾斜して配置された化粧鏡１２に照射することで、化粧鏡１２により上側に反射させることができる。よって、化粧鏡１２の前に立った人に、効率よく光を反射させることができる。
【００２６】
ここで、化粧鏡１２の傾斜の角度が、１°〜５°が好ましい理由について、実験結果に基づいて説明する。
化粧鏡１２の傾斜の角度が５°よりも大きいと、照明部１４の化粧鏡１２への映り込みが大きくなるという実験結果が得られた。そのため、化粧鏡１２の傾斜の角度が５°よりも大きく傾けることは好ましくはない。
【００２７】
化粧鏡１２の傾斜の角度が１°〜５°の場合には、化粧鏡１２を１°傾ける毎に、照度が約１％ずつ上昇するという実験結果が得られた。
また、化粧鏡１２の傾斜の角度が１°〜５°の場合には、化粧鏡１２を１°傾ける毎に、化粧鏡１２に映し出すことができる者の身長を、約１ｃｍずつ高くできるという実験結果が得られた。
その結果、化粧鏡１２の傾斜の角度が５°である場合には、化粧鏡１２を傾斜させない場合と比べて、照度が約５％上昇し、且つ、化粧鏡１２に映し出すことができる者の身長を約５ｃｍ高くできるという結果が得られた。
なお、この実験結果は、顔が映る位置で測定されたものであり、具体的には、高さが１５００ｍｍ、化粧鏡１２からの距離が３００ｍｍの測定位置で測定したものである。
【００２８】
また、本実施形態における主な各寸法について、例示する。しかし、本発明はこれらの各寸法の数値に限定されるものではない。
例えば、本実施形態においては、図２に示すように、天井１００の高さＬ１は、１８００ｍｍである。洗面化粧台１の高さＬ１も、１８００ｍｍである。化粧鏡１２の前に立つ者の身長Ｌ１も、１８００ｍｍである。
また、化粧鏡１２の上端部の高さＬ２は、例えば、１６８０ｍｍである。
また、洗面化粧台１の奥行の寸法Ｌ３は、例えば、５００ｍｍである。
化粧鏡１２の傾斜の角度αは、例えば、５°である。
このような条件において、１８００ｍｍの身長者の頭部の上端まで、化粧鏡１２に映し出すことができた。
【００２９】
以上説明した本実施形態の洗面化粧台１によれば、以下のような効果を奏する。
本実施形態の洗面化粧台１は、洗面器３の上方に設けられ、下端部が手前側になるように傾斜する化粧鏡１２を備える。そのため、天井１００や梁が低い位置に設置してある場所（例えば、集合住宅やリフォーム用の洗面化粧台の設置場所）に洗面化粧台１を設置する場合に、化粧鏡１２の高さの位置が低い位置に制限されても、化粧鏡１２の上端部よりも高い高身長者の顔が化粧鏡１２に映りやすくなる。また、化粧鏡１２の前に立った人が化粧鏡１２に近づく際には前傾姿勢になりやすいため、化粧鏡１２に近づいてする作業（メイクや髭剃り）がしやすくなる。
【００３０】
また、本実施形態においては、化粧鏡１２の上方に配置される照明部１４を更に備える。照明部１４が化粧鏡１２の上方に配置されるため、下方に配置される化粧鏡１２に対して照明することができる。従って、効率よく照度を確保することができる。
また、化粧鏡１２の上方にのみに、照明部１４を１灯設けることで、照度を確保することが可能である。そのため、照明部を２灯設ける場合と比べて、省エネルギーに寄与する。
【００３１】
また、本実施形態においては、照明部１４は、その下面に設けられると共に下方に向けて光を照射する下方照射部１４ｃとして機能する。そのため、下端部が手前側になるように傾斜して配置される化粧鏡１２に対して照明することで、化粧鏡１２が照明部１４からの光を上側に反射させるため、化粧鏡１２の前に立った人に、効率よく光を反射することができる。従って、一層効率よく照度を確保することができる。
【００３２】
以上、本発明の洗面化粧台の好ましい一実施形態について説明したが、本発明は、上述した実施形態に制限されるものではなく、適宜変更が可能である。
例えば、前記実施形態では、化粧鏡１２の傾斜の角度について、例えば、下部キャビネット２の奥行の寸法が４５０ｍｍ〜５５０ｍｍである場合に、化粧鏡１２の傾斜の角度は、１°〜５°であることが好ましく、５°であることが更に好ましいとしたが、例示の数値を記載したにすぎず、これに限られない。
【符号の説明】
【００３３】
１  洗面化粧台
３  洗面器
１２  化粧鏡
１４  照明部
１４ｃ  下方照射部
【図１】
0006603452.tif 000002
【図２】
0006603452.tif 000003